(57)【特許請求の範囲】
【請求項１】
浴室に設置される浴室用テレビであって、映像表示部の前方に透明な窓部を備えた防水ケースに収納されたものにおいて、窓部を前後に所定の間隔を存して配置された２枚の透明板で構成すると共に、透明な帯状のヒータ被膜を外側の透明板の内面の全域を覆うように曲折させて被着させ、ヒータ被膜が被着されていない部分にヒータ被膜と同じ材料を、ヒータ被膜との間に絶縁膜を介して被着させたことを特徴とする浴室用テレビ。
【請求項２】
浴室に設置される浴室用テレビであって、映像表示部の前方に透明な窓部を備えた防水ケースに収納されたものにおいて、窓部を前後に所定の間隔を存して配置された２枚の透明板で構成すると共に、両透明板の間に透明な液状の熱媒を充填し、かつこの熱媒を加熱するヒータとして、内側の透明板の前面を全域にわたって覆うように被着した透明なヒータ被膜を設けたことを特徴とする浴室用テレビ。
【発明の詳細な説明】
【技術分野】
【０００１】
本発明は、浴室の壁等に設置される浴室テレビに関する。
【背景技術】
【０００２】
浴室テレビは液晶からなる映像表示部を備えている。なお、浴室は常に湯水がかかる環境であるため、この映像表示部を含めて電子回路等の全てが防水ケーシング内に収納されている。そして、この防水ケーシングの前面には透明な窓部が形成され、この窓部を通して映像表示部を鑑賞するように構成されている。
【０００３】
浴室用テレビは上述のように常に湯水がかかるほか、浴室内にミストを発生させるサウナ装置が浴室に設置されている場合には、特に窓部の外面に水滴が多数付着し、映像表示部を鑑賞しづらくなという不具合が生じる。
【０００４】
従来の浴室テレビではこのような窓部に付着した水滴を除去する手段が提案されていなかったが、浴室に設置される鏡の防曇構造として、鏡の前方にさらに透明な前板を設け、この透明板の後面を全面にわたって透明なヒータ被膜で覆い、このヒータ被膜に通電して前板を加熱することにより前板の前面に付着した水滴等を除去するようにしたものが知られている（例えば、特許文献１参照）。
【特許文献１】特開２００３−３３９４９６号公報（図１）
【発明の開示】
【発明が解決しようとする課題】
【０００５】
上記鏡の防曇構造を浴室テレビに適用することは可能であるが、上記従来のものでは透明なヒータ被膜を前板の後面全体に被着しているため、電流分布が均一になりづらく、均一な発熱が望めない。そのため、防曇効果が強く発揮される箇所とそうでない箇所とが生じ、映像表示部を鑑賞する際の妨げになるおそれが生じる。
【０００６】
そこで本発明は、上記の問題点に鑑み、均一な防曇効果が望める浴室テレビを提供することを課題とする。
【課題を解決するための手段】
【０００７】
上記課題を解決するために本発明による浴室テレビは、浴室に設置される浴室用テレビであって、映像表示部の前方に透明な窓部を備えた防水ケースに収納されたものにおいて、窓部を前後に所定の間隔を存して配置された２枚の透明板で構成すると共に、透明な帯状のヒータ被膜を外側の透明板の内面の全域を覆うように曲折させて被着させ、ヒータ被膜が被着されていない部分にヒータ被膜と同じ材料を、ヒータ被膜との間に絶縁膜を介して被着させたことを特徴とする。
【０００８】
ヒータ被膜を帯状とすることにより電流密度が均一になり、発熱にムラが生じない。ただし、ヒータ被膜を曲折させて設けると、ヒータ被膜が被着されている部分とされていない部分とが生じる。ヒータ被膜の屈折率は空気の屈折率と相違するので、映像表示部を観る際にヒータ被膜が被着されている部分とされていない部分とがわかり、鑑賞に支障が生じる場合が生じる。そこで、ヒータ被膜が被着されていない部分にヒータ被膜と同じ材料を、ヒータ被膜との間に絶縁膜を介して被着させ、全体の屈折率が同じになるようにした。
【０００９】
また、上記課題を解決するために本発明による他の浴室テレビは、浴室に設置される浴室用テレビであって、映像表示部の前方に透明な窓部を備えた防水ケースに収納されたものにおいて、窓部を前後に所定の間隔を存して配置された２枚の透明板で構成すると共に、両透明板の間に透明な液状の熱媒を充填し、かつこの熱媒を加熱するヒータとして、内側の透明板の前面を全域にわたって覆うように被着した透明なヒータ被膜を設けたことを特徴とする。
【００１０】
この構成では、熱媒を介して外側の透明板を加熱するので、均一に加熱することができる。
【００１１】
なお、上記熱媒を加熱するヒータを、内側の透明板の前面を全域にわたって覆うように被着した透明なヒータ被膜で構成する。
【発明の効果】
【００１３】
以上の説明から明らかなように、本発明は、前板を均一に加熱することができ、むら無く防曇を行うことができる。
【発明を実施するための最良の形態】
【００１４】
図１を参照して、１は本発明による浴室用テレビであり、浴室の壁面ＢＲに固定されている。この浴室用テレビ１は、図２に示すように、前ケース２と後ケース３とからなる防水ケーシング内に回路基板４が収納されている。そして、この回路基板４上に映像表示部である液晶表示ユニット４１が設けられている。
【００１５】
前ケース２にはこの液晶表示ユニット４１に表示されるテレビ画像を鑑賞するための透明な窓部５が形成されている。なお、１１は化粧カバーである。
【００１６】
図３を参照して、この窓部５は２枚の透明板５１，５２で構成されている。両透明板５１，５２の間には隙間５３が形成されており、さらに前側の透明板５１の後面にはヒータ被膜６が被着されている。このヒータ被膜は透明な導電材料で構成されている。そして、窓部５を前方から観ると、図４に示すように、帯状のヒータ被膜６が曲折されて窓部５のほぼ前面を覆うように被着されている。そして、電源６２から通電するとこのヒータ被膜６が発熱して前側の透明板５１が加熱される。６３はスイッチであり、必要に応じて通電し、あるいは通電を停止する。
【００１７】
ところで、図４に示すように、帯状のヒータ被膜６を曲折して設けると、ヒータ被膜６が被着されない部分が生じる。そこで、図５に示すように、ヒータ被膜６を透明板５１の後面に被着させたあと、透明な絶縁層７でヒータ被膜６を覆い、その後にヒータ被膜６が被着されていない部分に、ヒータ被膜６と同じ材料からなる中間部６１を被着させた。これにより、ヒータ被膜６が被着されている部分とそれ以外の部分との屈折率が相互に同一となり、液晶表示ユニット４１の映像を鑑賞する際に違和感が生じない。
【００１８】
また、上記構成の他、例えば、図６に示すように、後側の透明板５２の前面を全域にわたって透明なヒータ被膜８で覆うと共に、隙間５３に熱媒としてシリコンオイルを充填してもよい。この構成では、ヒータ被膜８は透明板５２の前面の全域を覆うので従来のもののように加熱ムラが生じるおそれがあるが、熱媒であるシリコンオイルを介して透明板５１が加熱されるので、透明板５１に対する加熱ムラは生じない。なお、シリコンオイルが加熱され膨張すると隙間５３内の圧力が上昇するので、隙間５３に通ずるバッファタンク９を設けることが望ましい。
【００２０】
本発明は上記した形態に限定されるものではなく、本発明の要旨を逸脱しない範囲内において種々の変更を加えてもかまわない。
【図面の簡単な説明】
【００２１】
【図１】本発明の一実施の形態の構成を示す図
【図２】液晶テレビの構造を示す分解斜視図
【図３】窓部の構造を示す断面図
【図４】ヒータ被膜の構成を示す図
【図５】ヒータ被膜の断面の形状を示す図
【図６】熱媒を用いる場合の構成を示す図
【符号の説明】
【００２２】
１ 浴室用テレビ
４ 回路基板
５ 窓部
６ ヒータ被膜
７ 絶縁層
８ ヒータ被膜
９ バッファタンク
４１ 液晶表示ユニット
５１ 透明板
５２ 透明板
【図１】
0004889597.tif 000002
【図２】
0004889597.tif 000003
【図３】
0004889597.tif 000004
【図４】
0004889597.tif 000005
【図５】
0004889597.tif 000006
【図６】
0004889597.tif 000007